【手続補正書】
【提出日】平成16年9月13日(2004.9.13)
【手続補正１】
【補正対象書類名】明細書
【補正対象項目名】特許請求の範囲
【補正方法】変更
【補正の内容】
【特許請求の範囲】
【請求項１】
Ｈ．３２３勧告に準拠したゲートキーパー装置とこのゲートキーパー装置に呼制御されるエンドポイント装置とから構成されるゲートキーパー冗長化システムであって、
通常時、エンドポイント装置に対してサービスを提供する第１のゲートキーパーと、
前記第１のゲートキーパーの障害時または前記第１のゲートキーパーと前記エンドポイント装置との間の障害時、前記エンドポイント装置に対してサービスを提供する第２のゲートキーパーと、を備え、
前記第１のゲートキーパーおよび前記第２のゲートキーパーは、前記エンドポイント装置と前記第１のゲートキーパーとを対応付けた対応設定テーブルを有し、
前記エンドポイント装置は、プライマリを前記第１のゲートキーパーに設定し、セカンダリを前記第２のゲートキーパーに設定したプライマリ／セカンダリ設定テーブルを有し、
前記第２のゲートキーパーは、前記第１のゲートキーパーの状態を監視し、当該第１のゲートキーパーでの障害または前記第１のゲートキーパーと前記エンドポイント装置との間の障害を検出すると、前記対応設定テーブルに設定されているエンドポイント装置へのサービスを提供することを特徴とするゲートキーパー冗長化システム。
【請求項２】
前記エンドポイント装置は、
前記第１のゲートキーパーでの障害または前記第１のゲートキーパーと前記エンドポイント装置との間の障害を検出すると、前記第２のゲートキーパーにレジストレーションを行うことを特徴とする請求項１記載のゲートキーパー冗長化システム。
【請求項３】
Ｈ．３２３勧告に準拠したゲートキーパー装置とこのゲートキーパー装置に呼制御されるエンドポイント装置とから構成されるゲートキーパー冗長化システムであって、通常時、第１のエンドポイント装置に対してサービスを提供する第１のゲートキーパーと、
通常時、第２のエンドポイント装置に対してサービスを提供し、前記第１のゲートキーパーの障害時または前記第１のゲートキーパーと前記エンドポイント装置との間の障害時、前記第１のエンドポイント装置に対してサービスを提供する第２のゲートキーパーと、を備え、前記第１のゲートキーパは、前記第２のゲートキーパーの障害時または前記第２のゲートキーパーと前記エンドポイントとの間の障害時、前記第２のエンドポイントに対してサービスを提供し、
前記第１のゲートキーパーおよび前記第２のゲートキーパーは、前記第１のエンドポイント装置と前記第１のゲートキーパーとを対応付け、前記第２のエンドポイント装置と前記第２のゲートキーパーとを対応付けた対応設定テーブルを有し、
前記第１のエンドポイント装置は、プライマリを前記第１のゲートキーパーに設定し、セカンダリを前記第２のゲートキーパーに設定した第１のプライマリ／セカンダリ設定テーブルを有し、
前記第２のエンドポイント装置は、プライマリを前記第２のゲートキーパーに設定し、セカンダリを前記第１のゲートキーパーに設定した第２のプライマリ／セカンダリ設定テーブルを有し、
前記セカンダリに設定されたゲートキーパーおよび前記プライマリに設定されたゲートキーパーは互いに状態を監視し、一方のゲートキーパーでの障害または経路中の障害を検出すると、もう一方のゲートキーパーが障害の起きたゲートキーパーに代わってエンドポイント装置にサービスを提供することを特徴とするゲートキーパー冗長化システム。
【請求項４】
前記第１のエンドポイント装置および前記第２のエンドポイント装置は、
自装置でプライマリに設定されたゲートキーパーでの障害または経路中の障害を検出すると、セカンダリに設定されたゲートキーパーにレジストレーションを行うことを特徴とする請求項３記載のゲートキーパー冗長化システム。
【請求項５】
Ｈ．３２３勧告に準拠したゲートキーパー装置とこのゲートキーパー装置に呼制御されるエンドポイント装置とから構成されるゲートキーパー冗長化システムであって、通常時、第１のエンドポイント装置に対してサービスを提供する第１のゲートキーパーと、
通常時、第２のエンドポイント装置に対してサービスを提供し、前記第１のゲートキーパーの障害時または前記第１のゲートキーパーと前記第１のエンドポイント装置との間の障害時、前記第１のエンドポイント装置に対してサービスを提供する第２のゲートキーパーと、
通常時、第３のエンドポイント装置に対してサービスを提供し、前記第２のゲートキーパーの障害時または前記第２のゲートキーパーと前記第２のエンドポイント装置との間の障害時、前記第２のエンドポイントに対してサービスを提供する第３のゲートキーパーと、を備え、
前記第１のゲートキーパーは、前記第３のゲートキーパーの障害時または第３のゲートキーパーと前記第３のエンドポイントとの間の障害時、前記第３のエンドポイント装置に対してサービスを提供し、
前記第１のゲートキーパーは、前記第１のエンドポイント装置と前記第１のゲートキーパーとを対応付け、前記第３のエンドポイント装置と前記第３のゲートキーパーとを対応付けた第１の対応設定テーブルを有し、
前記第２のゲートキーパーは、前記第２のエンドポイント装置と前記第２のゲートキーパーとを対応付け、前記第１のエンドポイント装置と前記第１のゲートキーパーとを対応付けた第２の対応設定テーブルを有し、
前記第３のゲートキーパーは、前記第３のエンドポイント装置と前記第３のゲートキーパーとを対応付け、前記第２のエンドポイント装置と前記第２のゲートキーパーとを対応付けた第３の対応設定テーブルを有し、
前記第１のエンドポイント装置は、プライマリを前記第１のゲートキーパーに設定し、セカンダリを前記第２のゲートキーパーに設定した第１のプライマリ／セカンダリ設定テーブルを有し、
前記第２のエンドポイント装置は、プライマリを前記第２のゲートキーパーに設定し、セカンダリを前記第３のゲートキーパーに設定した第２のプライマリ／セカンダリ設定テーブルを有し、
前記第３のエンドポイント装置は、プライマリを前記第３のゲートキーパーに設定し、セカンダリを前記第１のゲートキーパーに設定した第３のプライマリ／セカンダリ設定テーブルを有し、
前記セカンダリに設定されたゲートキーパーおよび前記プライマリに設定されたゲートキーパーは互いに状態を監視し、一方のゲートキーパーでの障害または経路中の障害を検出すると、もう一方のゲートキーパーが障害の起きたゲートキーパーに代わってエンドポイント装置にサービスを提供することを特徴とするゲートキーパー冗長化システム。
【請求項６】
前記第１のエンドポイント、前記第２のエンドポイントおよび前記第３のエンドポイント装置は、
自装置でプライマリに設定されたゲートキーパーでの障害または経路中の障害を検出すると、セカンダリに設定されたゲートキーパーにレジストレーションを行うことを特徴とする請求項５記載のゲートキーパー冗長化システム。
【請求項７】
前記第２のゲートキーパーは、前記第２のゲートキーパーと通信可能に接続された記憶手段から前記対応設定テーブルを読み出すことを特徴とする請求項１または３記載のゲートキーパー冗長化システム。
【請求項８】
前記第２のゲートキーパーは、前記対応設定テーブルを記憶した取り外し可能な記憶手段を有することを特徴とする請求項１または３記載のゲートキーパー冗長化システム。
【請求項９】
前記セカンダリに設定されたゲートキーパーおよび前記プライマリに設定されたゲートキーパーは互いに状態を監視し、一方のゲートキーパーでの障害または経路中の障害が復旧したことを検出したとき、障害の起きたゲートキーパーに代わって行っていたエンドポイント装置へのサービスを停止することを特徴とする請求項１、３、５のいずれかに記載のゲートキーパー冗長化システム。
【手続補正２】
【補正対象書類名】明細書
【補正対象項目名】０００７
【補正方法】変更
【補正の内容】
【０００７】
【課題を解決するための手段】
上記目的を達成するために、本発明に係るゲートキーパー冗長化システムは、通常時、エンドポイント装置に対してサービスを提供する第１のゲートキーパーと、前記第１のゲートキーパーの障害時または前記第１のゲートキーパーと前記エンドポイント装置との間の障害時、前記エンドポイント装置に対してサービスを提供する第２のゲートキーパーとを備え、前記第１のゲートキーパーおよび前記第２のゲートキーパーは、前記エンドポイント装置と前記第１のゲートキーパーとを対応付けた対応設定テーブルを有し、前記エンドポイント装置は、プライマリを前記第１のゲートキーパーに設定し、セカンダリを前記第２のゲートキーパーに設定したプライマリ／セカンダリ設定テーブルを有し、前記第２のゲートキーパーは、前記第１のゲートキーパーの状態を監視し、当該第１のゲートキーパーでの障害または前記第１のゲートキーパーと前記エンドポイント装置との間の障害を検出すると、前記対応設定テーブルに設定されているエンドポイント装置へのサービスを提供する。したがって、Ｈ．３２３に準拠したシステムにおいて、高い信頼性を実現する冗長構造のゲートキーパー冗長化システムを提供することができる。
【手続補正３】
【補正対象書類名】明細書
【補正対象項目名】０００８
【補正方法】変更
【補正の内容】
【０００８】
また、本発明に係るゲートキーパー冗長化システムは、前記エンドポイント装置は、前記第１のゲートキーパーでの障害または前記第１のゲートキーパーと前記エンドポイント装置との間の障害を検出すると、前記第２のゲートキーパーにレジストレーションを行う。
【手続補正４】
【補正対象書類名】明細書
【補正対象項目名】０００９
【補正方法】変更
【補正の内容】
【０００９】
また、本発明に係るゲートキーパー冗長化システムは、通常時、第１のエンドポイント装置に対してサービスを提供する第１のゲートキーパーと、通常時、第２のエンドポイント装置に対してサービスを提供し、前記第１のゲートキーパーの障害時または前記第１のゲートキーパーと前記エンドポイント装置との間の障害時、前記第１のエンドポイント装置に対してサービスを提供する第２のゲートキーパーとを備え、前記第１のゲートキーパは、前記第２のゲートキーパーの障害時または前記第２のゲートキーパーと前記エンドポイントとの間の障害時、前記第２のエンドポイントに対してサービスを提供し、前記第１のゲートキーパーおよび前記第２のゲートキーパーは、前記第１のエンドポイント装置と前記第１のゲートキーパーとを対応付け、前記第２のエンドポイント装置と前記第２のゲートキーパーとを対応付けた対応設定テーブルを有し、前記第１のエンドポイント装置は、プライマリを前記第１のゲートキーパーに設定し、セカンダリを前記第２のゲートキーパーに設定した第１のプライマリ／セカンダリ設定テーブルを有し、前記第２のエンドポイント装置は、プライマリを前記第２のゲートキーパーに設定し、セカンダリを前記第１のゲートキーパーに設定した第２のプライマリ／セカンダリ設定テーブルを有し、前記セカンダリに設定されたゲートキーパーおよび前記プライマリに設定されたゲートキーパーは互いに状態を監視し、一方のゲートキーパーでの障害または経路中の障害を検出すると、もう一方のゲートキーパーが障害の起きたゲートキーパーに代わってエンドポイント装置にサービスを提供する。したがって、各ゲートキーパーの空きリソースを有効活用して冗長構成を実現することができるため、複数（偶数）のエンドポイント群に対する冗長構成をより少ないゲートキーパーで実現することができる。
【手続補正５】
【補正対象書類名】明細書
【補正対象項目名】００１０
【補正方法】変更
【補正の内容】
【００１０】
また、本発明に係るゲートキーパー冗長化システムは、前記第１のエンドポイント装置および前記第２のエンドポイント装置は、自装置でプライマリに設定されたゲートキーパーでの障害または経路中の障害を検出すると、セカンダリに設定されたゲートキーパーにレジストレーションを行う。
【手続補正６】
【補正対象書類名】明細書
【補正対象項目名】００１１
【補正方法】変更
【補正の内容】
【００１１】
また、本発明に係るゲートキーパー冗長化システムは、通常時、第１のエンドポイント装置に対してサービスを提供する第１のゲートキーパーと、通常時、第２のエンドポイント装置に対してサービスを提供し、前記第１のゲートキーパーの障害時または前記第１のゲートキーパーと前記第１のエンドポイント装置との間の障害時、前記第１のエンドポイント装置に対してサービスを提供する第２のゲートキーパーと、通常時、第３のエンドポイント装置に対してサービスを提供し、前記第２のゲートキーパーの障害時または前記第２のゲートキーパーと前記第２のエンドポイント装置との間の障害時、前記第２のエンドポイントに対してサービスを提供する第３のゲートキーパーと、を備え、前記第１のゲートキーパーは、前記第３のゲートキーパーの障害時または第３のゲートキーパーと前記第３のエンドポイントとの間の障害時、前記第３のエンドポイント装置に対してサービスを提供し、前記第１のゲートキーパーは、前記第１のエンドポイント装置と前記第１のゲートキーパーとを対応付け、前記第３のエンドポイント装置と前記第３のゲートキーパーとを対応付けた第１の対応設定テーブルを有し、前記第２のゲートキーパーは、前記第２のエンドポイント装置と前記第２のゲートキーパーとを対応付け、前記第１のエンドポイント装置と前記第１のゲートキーパーとを対応付けた第２の対応設定テーブルを有し、前記第３のゲートキーパーは、前記第３のエンドポイント装置と前記第３のゲートキーパーとを対応付け、前記第２のエンドポイント装置と前記第２のゲートキーパーとを対応付けた第３の対応設定テーブルを有し、前記第１のエンドポイント装置は、プライマリを前記第１のゲートキーパーに設定し、セカンダリを前記第２のゲートキーパーに設定した第１のプライマリ／セカンダリ設定テーブルを有し、前記第２のエンドポイント装置は、プライマリを前記第２のゲートキーパーに設定し、セカンダリを前記第３のゲートキーパーに設定した第２のプライマリ／セカンダリ設定テーブルを有し、前記第３のエンドポイント装置は、プライマリを前記第３のゲートキーパーに設定し、セカンダリを前記第１のゲートキーパーに設定した第３のプライマリ／セカンダリ設定テーブルを有し、前記セカンダリに設定されたゲートキーパーおよび前記プライマリに設定されたゲートキーパーは互いに状態を監視し、一方のゲートキーパーでの障害または経路中の障害を検出すると、もう一方のゲートキーパーが障害の起きたゲートキーパーに代わってエンドポイント装置にサービスを提供する。したがって、ゲートキーパー３台での冗長構成を実現することができ、各ゲートキーパーの空きリソースを有効活用して冗長構成を実現することができる。また、複数（奇数）のエンドポイント群に対する冗長構成をより少ないゲートキーパーで実現することができる。
【手続補正７】
【補正対象書類名】明細書
【補正対象項目名】００１２
【補正方法】変更
【補正の内容】
【００１２】
また、本発明に係るゲートキーパー冗長化システムは、前記第１のエンドポイント、前記第２のエンドポイントおよび前記第３のエンドポイント装置は、自装置でプライマリに設定されたゲートキーパーでの障害または経路中の障害を検出すると、セカンダリに設定されたゲートキーパーにレジストレーションを行う。
【手続補正８】
【補正対象書類名】明細書
【補正対象項目名】００１５
【補正方法】変更
【補正の内容】
【００１５】
さらに、本発明に係るゲートキーパー冗長化システムは、前記セカンダリに設定されたゲートキーパーおよび前記プライマリに設定されたゲートキーパーは互いに状態を監視し、一方のゲートキーパーでの障害または経路中の障害が復旧したことを検出したとき、障害の起きたゲートキーパーに代わって行っていたエンドポイント装置へのサービスを停止する。